(57)【要約】  計時器用機構用のピボット（４５）であって、プレート（２）内においてアーバー（４７）を半径方向にて保持する回転ガイド用の第１のメンバー（４６）と、このアーバー（４７）の端を軸方向にて制限する前側ガイド用の第２のメンバー（４９）と、及びこの回転ガイド用の第１のメンバー（４６）及び／又はこの前側ガイド用の第２のメンバー（４９）に少なくとも作用する少なくとも１つの弾性ショックアブソーバー（４８）とを有し、この弾性ショックアブソーバー（４８）は、この回転ガイド用の第１のメンバー（４６）及びこの前側ガイド用の第２のメンバー（４９）ではない構造要素（４５１）と一体の形態で、マイクロ機械加工可能な材料又はケイ素又は石英又はダイヤモンドで作られる。【選択図】  図１
2016505150.tif 000002
【特許請求の範囲】
【請求項１】
計時器用機構用のピボット（４５）であって、
前記ピボット（４５）は、プレート（２）内においてアーバー（４７）を半径方向にて保持する回転ガイド用の第１のメンバー（４６）と、
前記アーバー（４７）の端を軸方向にて制限する前側ガイド用の第２のメンバー（４９）と、及び
前記回転ガイド用の第１のメンバー（４６）及び／又は前記前側ガイド用の第２のメンバー（４９）に少なくとも作用する少なくとも１つの弾性ショックアブソーバー（４８）とを有し、
前記少なくとも１つの弾性ショックアブソーバー（４８）は、前記回転ガイド用の第１のメンバー（４６）及び前記前側ガイド用の第２のメンバー（４９）ではない少なくとも１つの構造要素（４５１）と一体の形態で、マイクロ機械加工可能な材料又はケイ素又は石英又はダイヤモンド又はルビー又はコランダムで作られ、
前記ピボットは、重なり合った第１のレベル及び第２のレベルを有し、
前記回転ガイド用の第１のメンバー（４６）は、前記第１のレベルにおいて、第１のショックアブソーバー（４８Ａ）を少なくとも介して前記構造要素（４５１）から懸架されており、
前記前側ガイド用の第２のメンバー（４９）は、前記第２のレベルにおいて、第２のショックアブソーバー（４８Ｂ）を少なくとも介して前記構造要素（４５１）から懸架されている
ことを特徴とするピボット（４５）。
【請求項２】
前記第１のレベルにおいて、前記回転ガイド用の第１のメンバー（４６）は、第１の接続要素（４８Ｃ）によって上側ジュエルセッティング（２６）から懸架され、
前記上側ジュエルセッティング（２６）は、前記第１のショックアブソーバー（４８Ａ）によって前記構造要素（４５１）から懸架されている
ことを特徴とする請求項１に記載のピボット（４５）。
【請求項３】
前記第１の接続要素（４８Ｃ）は、可撓性要素である
ことを特徴とする請求項２に記載のピボット（４５）。
【請求項４】
前記回転ガイド用の第１のメンバー（４６）、前記上側ジュエルセッティング（２６）、前記第１の接続要素（４８Ｃ）、及び前記第１のショックアブソーバー（４８Ａ）は、一体の部品を形成する
ことを特徴とする請求項２又は３に記載のピボット（４５）。
【請求項５】
前記第２のレベルにおいて、前記前側ガイド用の第２のメンバー（４９）は、前記第２の接続要素（４８Ｄ）によって下側ジュエルセッティング（２７）から懸架され、
前記下側ジュエルセッティング（２７）は、前記第２のショックアブソーバー（４８Ｂ）によって前記構造要素（４５１）から懸架されている
ことを特徴とする請求項１〜４のいずれかに記載のピボット（４５）。
【請求項６】
前記第２の接続要素（４８Ｄ）は、可撓性要素である
ことを特徴とする請求項５に記載のピボット（４５）。
【請求項７】
前記前側ガイド用の第２のメンバー（４９）、前記下側ジュエルセッティング（２７）、前記第２の接続要素（４８Ｄ）、及び前記第２のショックアブソーバー（４８Ｂ）は、単一片の部品を形成する
ことを特徴とする請求項５又は６に記載のピボット（４５）。
【請求項８】
前記上側ジュエルセッティング（２６）及び前記下側ジュエルセッティング（２７）は、単一の剛性部品を形成する
ことを特徴とする請求項２又は５に記載のピボット（４５）。
【請求項９】
前記第１のショックアブソーバー（４８Ａ）及び前記第２のショックアブソーバー（４８Ｂ）は、単一の部品を形成する
ことを特徴とする請求項１〜８のいずれかに記載のピボット（４５）。
【請求項１０】
前記前側ガイド用の第２のメンバー（４９）は、前記アーバー（４７）の方向の軸方向のショックを吸収するように構成する前記可撓性の第２の接続要素（４８Ｄ）によって前記下側ジュエルセッティング（２７）から懸架されており、
前記下側ジュエルセッティング（２７）は、前記上側ジュエルセッティング（２６）に固定されており、
前記上側ジュエルセッティング（２６）は、前記回転ガイド用の第１のメンバー（４６）を支え、
半径方向の成分を有するショックを吸収するように意図されている弾性ショックアブソーバー（４８）によって前記プレート（２）から懸架されている
ことを特徴とする請求項２又は５に記載のピボット（４５）。
【請求項１１】
前記少なくとも１つの弾性ショックアブソーバー（４８）は、前記前側ガイド用の第２のメンバー（４９）と一体の形態で作られる
ことを特徴とする請求項１に記載のピボット（４５）。
【請求項１２】
前記少なくとも１つの弾性ショックアブソーバー（４８）は、前記回転ガイド用の第１のメンバー（４６）と一体の形態で作られる
ことを特徴とする請求項１に記載のピボット（４５）。
【請求項１３】
前記少なくとも１つの弾性ショックアブソーバー（４８）は、前記前側ガイド用の第２のメンバー（４９）及び前記回転ガイド用の第１のメンバー（４６）と一体に作られる
ことを特徴とする請求項１１又は１２に記載のピボット（４５）。
【請求項１４】
前記回転ガイド用の第１のメンバー（４６）及び前記前側ガイド用の第２のメンバー（４９）は一緒に、単一の部品を形成する
ことを特徴とする請求項１〜１３のいずれかに記載のピボット（４５）。
【請求項１５】
前記回転ガイド用の第１のメンバー（４６）、前記上側ジュエルセッティング（２６）、前記第１の接続要素（４８Ｃ）、前記第１のショックアブソーバー（４８Ｃ）、前記前側ガイド用の第２のメンバー（４９）、前記下側ジュエルセッティング（２７）、前記第２の接続要素（４８Ｄ）、及び前記第２のショックアブソーバー（４８Ｂ）は、一体の部品を形成する
ことを特徴とする請求項４、７又は９に記載のピボット（４５）。
【請求項１６】
前記ピボットは、独立したピボットアセンブリー（４５０）を形成し、
前記構造要素（４５１）は、当該プレート（２）の１つと連係するように構成する少なくとも１つの支持表面（４５３）を有するカボション（４５２）である
ことを特徴とする請求項１〜１５のいずれかに記載のピボット（４５）。
【請求項１７】
前記回転ガイド用の第１のメンバー（４６）又は前記前側ガイド用の第２のメンバー（４９）の少なくとも一方は、硬質被覆又はＤＬＣ被覆で被覆された前記アーバー（４７）のためのガイド面を有する
ことを特徴とする請求項１〜１６のいずれかに記載のピボット（４５）。
【請求項１８】
計時器用機構用のピボット（４５）であって、
プレート（２）内においてアーバー（４７）を半径方向にて保持する回転ガイド用の第１のメンバー（４６）と、
前記アーバー（４７）の端を軸方向にて制限する前側ガイド用の第２のメンバー（４９）と、及び
前記回転ガイド用の第１のメンバー（４６）及び／又は前記前側ガイド用の第２のメンバー（４９）に少なくとも作用する少なくとも１つの弾性ショックアブソーバー（４８）とを有し、
前記回転ガイド用の第１のメンバー（４６）又は前記前側ガイド用の第２のメンバー（４９）の少なくともいずれかは、前記回転ガイド用の第１のメンバー（４６）及び前記前側ガイド用の第２のメンバー（４９）ではない少なくとも１つの構造要素（４５１）と一体の形態で、マイクロ機械加工可能な材料又はケイ素又は石英又はダイヤモンド又はルビー又はコランダムで作られている
ことを特徴とするピボット（４５）。
【請求項１９】
請求項１〜１８のいずれかに記載のピボット（４５）を少なくとも１つ有する
ことを特徴とする計時器用プレート（２）。
【請求項２０】
当該プレートは、当該プレート（２）に含まれるピボットの少なくとも１つに対応する前記構造要素（４５１）を形成する
ことを特徴とする請求項１９に記載のプレート（２）。
【請求項２１】
前記回転ガイド用の第１のメンバー（４６）又は前記前側ガイド用の第２のメンバー（４９）の少なくともいずれかは、マイクロ機械加工可能な材料又はケイ素又は石英又はダイヤモンド又はルビー又はコランダムで作られている前記プレート（２）と一体で作られている
ことを特徴とする請求項１８又は１９に記載のプレート（２）。
【請求項２２】
前記回転ガイド用の第１のメンバー（４６）及び前記前側ガイド用の第２のメンバー（４９）は両方とも、当該プレート（２）と一体の形態で作られる
ことを特徴とする請求項２１に記載のプレート（２）。
【請求項２３】
請求項１８〜２１のいずれかに記載のプレート（２）を少なくとも１つ有する
ことを特徴とする機械的な計時器用ムーブメント（１００）。
【発明の詳細な説明】
【技術分野】
【０００１】
本発明は、計時器用機構用のピボットに関し、プレート内においてアーバーを半径方向にて保持する回転ガイド用の第１のメンバーと、前記アーバーの端を軸方向にて制限する前側ガイド用の第２のメンバーと、及び前記回転ガイド用の第１のメンバー及び／又は前記前側ガイド用の第２のメンバーに少なくとも作用する少なくとも１つの弾性ショックアブソーバーとを有し、前記少なくとも１つの弾性ショックアブソーバーは、前記回転ガイド用の第１のメンバー及び前記前側ガイド用の第２のメンバーではない少なくとも１つの構造要素と一体の形態で、マイクロ機械加工可能な材料又はケイ素又は石英又はダイヤモンド又はルビー又はコランダムで作られる。
【０００２】
本発明は、さらに、この種のピボットの少なくとも１つが嵌められた計時器用プレートに関する。
【０００３】
本発明は、さらに、この種のプレートを少なくとも１つ有する機械的な計時器用ムーブメントに関する。
【０００４】
本発明は、計時器用機構の分野に関し、より詳細には、計時器用車セットのピボットに関する。
【背景技術】
【０００５】
計時器用車セットのピボット回転は、ムーブメントの品質に重大な影響を与える。高精度の幾何学的構成の実装についての部品の数やコスト、加工費の点から、ピボットを作ることは高コストであり、また、ジュエルや緩衝デバイスのアセンブリーには特別な注意を必要とする。
【０００６】
伝統的に、アーバーの端を回転可能にガイドするピボットは、プレートにあるボア又はカウンターボアに収容されるカボションを有し、このカボションは、ジュエルセッティングにともに収容された、アーバーのための放射状のガイドジュエルと、アーバーの軸方向の端用の支持受け石と、及びジュエル又はジュエルセッティングのための懸架リングのような少なくとも１つの緩衝デバイスとを有している。潤滑が必要であれば、油つぼの存在を必要とする。その油つぼの形は、どの位置にあっても潤滑を確実にするものでなければならない。
【０００７】
ＰＡＴＥＫ  ＰＨＩＬＩＰＰＥ名義のスイス特許ＣＨ７００４９６Ｂ１は、ジュエル穴に軸方向に作用する弾性手段を備えたショックアブソーバーベアリングを開示している。このショックアブソーバーベアリングは、ピボットを受ける穴と、及び弾性手段によって形成され、弾性戻し手段に対抗するように軸方向のみに移動することがジュエル穴に強いるガイド手段とを有する。
【０００８】
ＵＬＹＳＳＥ  ＮＡＲＤＩＮ名義の欧州特許出願ＥＰ２０１５１４７Ａ２は、ショックアブソーバーベアリングを開示している。これは、少なくとも１つの弾性アームと、及びピボットを受ける穴を有する中央部分とを有し、これらは、単結晶材料のディスク内において一体にて形成されている。
【０００９】
ＳＷＡＴＣＨ  ＧＲＯＵＰ  Ｒ＆Ｄ名義の国際特許出願ＷＯ２０１１／１６１１３９Ａ１は、ピボットが延伸しているピボットシャンクを有する車セットアーバー用のショックアブソーバーベアリングを開示している。これは、懸架されるピボットシステムを受けるように構成するハウジングが設けられた支持体を有しており、このピボットシステム内にピボットシャンクが挿入されている。このピボットシステムは、車セットが受けるあらゆるショックを吸収し、少なくとも１つの部分的に非晶質の金属合金で作られた一部品に形成されている。ＳＷＡＴＣＨ  ＧＲＯＵＰ  Ｒ＆Ｄ名義の欧州特許出願ＥＰ２４００３５５Ａ１は、さらに、同じ機能を満たすベアリングを開示しており、このベアリングは、弾性手段を有し、これは、ピボットシステムに対して少なくとも軸方向の力を及ぼすように構成し、少なくとも部分的に非晶質の材料で作られている。
【００１０】
ＳＷＡＴＣＨ  ＧＲＯＵＰ  Ｒ＆Ｄ名義の欧州特許出願ＥＰ２６０７９７１Ａ１は、凹部を有するベアリングを基板内にて作る方法を開示しており、これにおいて、基板の１つの領域の構造が変更されて、選択性を増している。これにおいて、この領域が化学的にエッチングされてベアリングが作られ、基板はレーザ波長透過性材料で作られている。少なくとも１つの凹部を用いて弾性構造体を形成し、この弾性構造体は中央部を有し、この中央部にアーバーのピボットシャンクを挿入することができ、この中央部から少なくとも１つの弾性アームが延在している。
【発明の概要】
【発明が解決しようとする課題】
【００１１】
上記を鑑みて、本発明は、部品の数が少ないピボットを提供することを提案するものであり、これは、非常に信頼性が高く、好ましくは潤滑なしで動作し、吸収特性が良好で、ショックがあっても精密に再び位置合わせする。
【課題を解決するための手段】
【００１２】
この目的のために、本発明は、マイクロ部品を作るための新技術であるＭＥＭＳ、「ＬＩＧＡ」、リソグラフィーなどを使用し、この種のピボットの製造を最適化する。
【００１３】
このために、第１の好ましい実施形態において、本発明は、計時器用機構用のピボットに関し、前記ピボットは、プレート内においてアーバーを半径方向にて保持する回転ガイド用の第１のメンバーと、前記アーバーの端を軸方向にて制限する前側ガイド用の第２のメンバーと、及び前記回転ガイド用の第１のメンバー及び／又は前記前側ガイド用の第２のメンバーに少なくとも作用する少なくとも１つの弾性ショックアブソーバーとを有し、前記少なくとも１つの弾性ショックアブソーバーは、前記回転ガイド用の第１のメンバー及び前記前側ガイド用の第２のメンバーではない少なくとも１つの構造要素と一体の形態で、マイクロ機械加工可能な材料又はケイ素又は石英又はダイヤモンド又はルビー又はコランダムで作られ、前記ピボットは、重なり合った第１のレベル及び第２のレベルを有し、前記回転ガイド用の第１のメンバーは、前記第１のレベルにおいて、第１のショックアブソーバーを少なくとも介して前記構造要素から懸架されており、前記前側ガイド用の第２のメンバーは、前記第２のレベルにおいて、第２のショックアブソーバーを少なくとも介して前記構造要素から懸架されている。
本発明の特徴の１つによると、前記少なくとも１つの弾性ショックアブソーバーは、前記前側ガイド用の第２のメンバーと一体の形態で作られる。
本発明の特徴の１つによると、前記少なくとも１つの弾性ショックアブソーバーは、前記回転ガイド用の第１のメンバーと一体の形態で作られる。
本発明の特徴の１つによると、前記少なくとも１つの弾性ショックアブソーバーは、前記前側ガイド用の第２のメンバー及び前記回転ガイド用の第１のメンバーと一体に作られる。
本発明の特徴の１つによると、前記ピボットは、独立したピボットアセンブリーを形成し、前記構造要素は、当該プレートの１つと連係するように構成する少なくとも１つの支持表面を有するカボションである。
本発明の特徴の１つによると、前記回転ガイド用の第１のメンバー（４６）又は前記前側ガイド用の第２のメンバー（４９）の少なくとも一方は、硬質被覆又はＤＬＣ被覆で被覆された前記アーバーのためのガイド面を有する。
【００１４】
第２の実施形態において、本発明は、計時器用機構用のピボットに関し、プレート内においてアーバーを半径方向にて保持する回転ガイド用の第１のメンバーと、前記アーバーの端を軸方向にて制限する前側ガイド用の第２のメンバーと、及び前記回転ガイド用の第１のメンバー及び／又は前記前側ガイド用の第２のメンバーに少なくとも作用する少なくとも１つの弾性ショックアブソーバーとを有し、前記回転ガイド用の第１のメンバー又は前記前側ガイド用の第２のメンバーの少なくともいずれかは、前記回転ガイド用の第１のメンバー及び前記前側ガイド用の第２のメンバーではない少なくとも１つの構造要素と一体の形態で、マイクロ機械加工可能な材料又はケイ素又は石英又はダイヤモンド又はルビー又はコランダムで作られている。
【００１５】
本発明は、さらに、複数の従来のピボット部品が一体に集積されているいずれの組み合わせにも関する。
本発明は、さらに、この種のピボットを少なくとも１つ有する計時器用プレートに関する。
本発明の特徴の１つによると、前記回転ガイド用の第１のメンバー又は前記前側ガイド用の第２のメンバーの少なくともいずれかは、マイクロ機械加工可能な材料又はケイ素又は石英又はダイヤモンド又はルビー又はコランダムで作られている前記プレートと一体で作られている。
本発明の特徴の１つによると、前記回転ガイド用の第１のメンバー及び前記前側ガイド用の第２のメンバーは両方とも、前記プレートと一体に作られる。
【００１６】
本発明は、さらに、この種のプレートを少なくとも１つ有する機械的な計時器用ムーブメントに関する。
【００１７】
モノリシック部品を、特にプレートを用いて作ることによって、部分の数を減らし、アセンブリー上の課題を回避することができるという利点を有する。本発明は、これらのモノリシック部品の製造精度の高さの恩恵を受けている（通常、これらの部分は、例えば、ケイ素で作られ、したがって、マイクロメーター的な精度の恩恵を受ける）。
【００１８】
複数のピボットが集積されたモノリシックプレートは、中心間の距離を確実にし、機構のためにすぐに使用することができる精密な基礎が形成されるという主な利点を有する。この機構は、特に、好ましい用途では発振器である。
【００１９】
本発明は、具体的には、可撓性ガイドメンバーを組み入れているものであり、以下の利点を有する。
−確実な精度
−摩擦レベルが大きく減少したりゼロになったりする
−潤滑なし
−遊びなし
−摩耗なし
【００２０】
これらの可撓性ガイドメンバーの製造によって、制限を受ける。特に、移動距離が制限され、復帰力が低く、負荷が制限される。しかし、これらの制限は、多くの時計的な機能を禁止するわけではない。特に、規制に関係する機能、そして、制限された移動距離のジュエル用のガイドメンバーに関係する機能についてである。
【００２１】
これらの制限は、中心間距離の高い精度によって十分に補われ、部品の数が減り、したがって、複雑さが減り、アセンブリー時間が減る。このように、本発明に係る少なくとも１つのピボットを有するプレートは、大きな産業上の利点を有する。
【００２２】
添付図面を参照しながら下記の詳細な説明を読むことで、本発明の他の特徴及び利点を理解することができるであろう。
【図面の簡単な説明】
【００２３】
【図１】ピボットのアーバーを通る断面図を示しており、ショックアブソーバーベアリングがプレートと一部品となっている。
【図２】図１と同様な形態で、アーバーを半径方向にて保持する回転ガイド用の第１のメンバーと、及びアーバーの端を制限する前側ガイド用の第２のメンバーとを備えたピボットを示す。この回転ガイド用の第１のメンバーは、上側の第１のレベルにおいて、上側の第１のショックアブソーバーによってプレートから懸架されており、この前側ガイド用の第２のメンバーは、下側の第２のレベルにおいて、下側の第２のショックアブソーバーによってプレートから懸架されている。
【図３】図２と同様な形態で、アーバーを半径方向にて保持する回転ガイド用の第１のメンバーと、及びアーバーの端を制限する前側ガイド用の第２のメンバーとを備えたピボットを示す。この回転ガイド用の第１のメンバーは、第１の接続要素によって上側ジュエルセッティングから懸架され、この上側ジュエルセッティングは、上側の第１のレベルにおいて、上側の第１のショックアブソーバーによってプレートから懸架されている。この前側ガイド用の第２のメンバーは、第２の接続要素によって下側ジュエルセッティングから懸架され、この下側ジュエルセッティングは、下側の第２のレベルにおいて、下側の第２のショックアブソーバーによってプレートから懸架されている。
【図４】図２と同様な方法で、アーバーを半径方向にて保持する回転ガイド用の第１のメンバーと、及びアーバーの１つの端の止めを制限する前側ガイド用の第２のメンバーとを備えたピボットを示す。この回転ガイド用の第１のメンバーは、上側の第１のレベルにおいて、上側の第１のショックアブソーバーによってカボションから懸架され、この前側ガイド用の第２のメンバーは、下側の第２のレベルよりも低いレベルにおいて、下側の第２のショックアブソーバーによって同じカボションから懸架され、このカボションは、ピボットをプレートに収容するセンタリング面を有する。
【図５】図２と同様な形態で、アーバーを半径方向にて保持する回転ガイド用の第１のメンバーと、及びアーバーの端を制限する前側ガイド用の第２のメンバーとを備えたピボットを示す。この回転ガイド用の第１のメンバーは、上側の第１のレベルにおいて、上側の第１のショックアブソーバーによってプレートから懸架され、この前側ガイド用の第２のメンバーは、下側の第２のレベルにおいて、下側の第２のショックアブソーバーによってプレートから懸架されている。この下側の第２のショックアブソーバーは、上側の第１のショックアブソーバーと一体化されており、ピボットをプレートに収容するセンタリング面を有する。
【図６】図３と同様な形態で、上側の第１のレベルにおけるアーバーを半径方向にて保持する回転ガイド用の第１のメンバーと、及び下側の第２のレベルにおけるアーバーの端を制限する前側ガイド用の第２のメンバーとを備えたピボットを示す。この回転ガイド用の第１のメンバーは、第１の接続要素によって上側ジュエルセッティングから懸架され、この上側ジュエルセッティングは、上側の第１のショックアブソーバーによって構造要素から懸架されている。この前側ガイド用の第２のメンバーは、第２の接続要素によって下側ジュエルセッティングから懸架され、この下側ジュエルセッティングは、下側の第２のショックアブソーバーによって構造要素から懸架されている。
【図７】図１と同様な形態で、回転ガイド用の第１のメンバーを備えたピボットを示す。これは、前側ガイド用の第２のメンバーと単一の部品を形成する。
【図８】ショックアブソーバーによってカボションから懸架されている図７の単一の部品を示す。これらは一体のアセンブリーを形成している。
【図９】ショックアブソーバーによってプレートから懸架されている図７の単一の部品を示す。これらは一体のアセンブリーを形成している。
【図１０】アーバーの方向の軸方向のショックを吸収するように構成する可撓性の第２の接続要素によって下側ジュエルセッティングから懸架されている前側ガイド用の第２のメンバーを示す。この下側ジュエルセッティングは、上側ジュエルセッティングに固定されており、これは、回転ガイド用の第１のメンバーを支えており、弾性ショックアブソーバーによってプレートから懸架されている。この弾性ショックアブソーバーは、好ましくは、半径方向の成分を有するショックを吸収するように意図されている。
【発明を実施するための形態】
【００２４】
本発明は、計時器用機構の分野に関し、より詳細には、計時器用車セットのピボット回転に関する。
【００２５】
本発明は、計時器用機構のためのピボット４５に関し、このピボット４５は、プレート２内においてアーバー４７を半径方向にて保持する回転ガイド用の第１のメンバー４６と、及びアーバー４７の端を軸方向にて制限する前側ガイド用の第２のメンバー４９とを有する。このピボット４５は、少なくとも１つの弾性ショックアブソーバー４８を有し、これは、回転ガイド用の第１のメンバー４６及び／又は前側ガイド用の第２のメンバー４９に少なくとも作用する。
【００２６】
本発明によると、第１の好ましい実施形態において、この少なくとも１つの弾性ショックアブソーバー４８は、回転ガイド用の第１のメンバー４６や前側ガイド用の第２のメンバー４９ではない少なくとも１つの構造要素４５１と一体の形態で、マイクロ機械加工可能な材料又はケイ素又は石英又はダイヤモンド又はルビー又はコランダムで作られる。
【００２７】
この構造要素４５１は、詳細には、プレート、ブリッジ、カボション又は他の要素からなることができる。
【００２８】
本発明によれば、ピボット４５は、互いに重なり合った第１のレベル及び第２のレベルを有する。第１のレベルでは、回転ガイド用の第１のメンバー４６が、第１のショックアブソーバー４８Ａを少なくとも介して構造要素４５１から懸架されている。第２のレベルでは、前側ガイド用の第２のメンバー４９が、第２のショックアブソーバー４８Ｂを少なくとも介して構造要素４５１から懸架されている。
【００２９】
本発明は、いくつかの基本的な機能的ピボット部品の一体アセンブリーから発生する変種をすべてカバーしている。
【００３０】
具体的には、「基本的な機能的部品」とは、
−伝統的なピボットの場合にしばしばジュエル穴によって形成される回転ガイド用の第１のメンバー４６
−アーバーの潤滑が必要であるようなよくある場合には、回転ガイド用の第１のメンバー及び前側ガイド用の第２のメンバー４９の概して凹面の裏側によって限界が定められた空間で形成される油つぼ
−一般的には実質的に平坦な表面を備えたジュエルである前側ガイド用の第２のメンバー４９
−各ジュエルを保持するジュエルセッティングであって、これは、回転ガイド用の第１のメンバー４６を保持する上側ジュエルセッティング２６、前側ガイド用の第２のメンバー４９を保持する下側ジュエルセッティング２７、又は回転ガイド用の第１のメンバー４６及び前側ガイド用の第２のメンバー４９を保持する単一のジュエルセッティングのいずれかである
−剛性又は可撓性を有する任意の接続要素であって、これは、一方では、回転ガイド用の第１のメンバーと上側ジュエルセッティング２６の間の第１の接続要素４８Ｃ、他方では、前側ガイド用の第２のメンバー４９と下側ジュエルセッティング２７の間の第２の接続要素４８Ｄである
−少なくとも１つの弾性ショックアブソーバー４８であって、これは、上側ショックアブソーバー４８Ａと下側の第２のショックアブソーバー４８Ｂに分けることができる
−任意のカボション４５２であって、これも、上側の第１のカボションと下側の第２のカボションに分けることができる
−回転が行われるプレート２
である。
【００３１】
本発明は、非常に多数の組み合わせを範囲に含むことは明らかであり、これは、ピボットの従来の部品のすべて又は一部が他の部品（特に、プレート）と一体の形態で形成されるかどうかに依存する。
【００３２】
具体的には、本発明のピボットは、１つ又は複数のレベルにて作ることができる。
【００３３】
図９は、単一のレベルの実施形態を示す。これには、単一の部品があり、これにおいて、プレート２は、単一のユニットを支える単一の弾性ショックアブソーバー４８を直接組み入れており、そのユニットの輪郭は、回転ガイド用の第１のメンバー４６と前側ガイド用の第２のメンバー４９の両方を形成するように構成している。
【００３４】
伝統的には回転ガイド用の第１のメンバー４６及び前側ガイド用の第２のメンバー４９は別個のジュエルによって形成されるが、２つの重なり合ったレベルがあるアーキテクチャも考えつくことができる。すなわち、本発明の複数の変種（これらに制限されない）を示す図２〜６に示すように、回転ガイド用の第１のメンバー４６を支持する上側の第１のレベルと、前側ガイド用の第２のメンバー４９を支持する下側の第２のレベルとである。アーキテクチャのレベルが２つあったとしても、その２つのレベルが別個であることを意味しない。このような２つのレベルの間のリンクは、例えば、回転ガイド用の第１のメンバー４６と前側ガイド用の第２のメンバー４９、又は上側ジュエルセッティング２６と下側ジュエルセッティング２７、又は第１の接続要素４８Ｃと第２の接続要素４８Ｄなどを連結することによって達成することができる。なぜなら、各レベルで同じ機能を満たさない機能的部品の間でもリンクが形成されることがあるからである。
【００３５】
もちろん、レベルの数をもっと大きくすることも考えることができる。しかし、ＭＥＭＳによる製造の場合では、重なり合った２つのレベルを有する実施形態においては、アーキテクチャを作ることができないことがあり、製造の複雑さが直接的に制限因子になる。しかし、ケイ素の面がアーバーと平行であるように部品を製造することができる。
【００３６】
可撓性の形態であるような少なくとも１つの弾性ショックアブソーバー４８及び前記少なくとも１つの接続要素の設計及び構成によって、半径方向及び軸方向の加速度を緩めるという点を用いて要素どうしを区別することが可能になる。
【００３７】
図１０は、アーバー４７の方向における軸方向のショックを吸収するように構成する可撓性の第２の接続要素４８Ｄによって、前側ガイド用の第２のメンバー４９が下側ジュエルセッティング２７から懸架されているような例を示している。下側ジュエルセッティング２７は、上側ジュエルセッティング２６に固定されており、この上側ジュエルセッティング２６は、回転ガイド用の第１のメンバー４６も支えており、弾性ショックアブソーバー４８によってプレート２から懸架されている。この弾性ショックアブソーバー４８は、好ましくは、半径方向の成分でショックを吸収するように意図されている。
【００３８】
当然、本発明は、ピボットアセンブリー４５０が従来のプレートのボア又はカウンターボア内に収容される場合をも範囲に含むものである。このピボットアセンブリー４５０は、好ましくは、一体である。このピボットアセンブリー４５０は、マイクロ機械加工可能な材料でともに一部品内にて作られた少なくとも２つの部品を有する。
【００３９】
単純化のために、本明細書は、特定のアーキテクチャにおいて（これに何ら制限されない）、プレートと一体となっているピボットについての例を少ない数のみ示している。
【００４０】
特定の実施形態において、前記少なくとも１つの弾性ショックアブソーバー４８は、前側ガイド用の第２のメンバー４９と一部品内にて作られる。
【００４１】
特定の実施形態において、前記少なくとも１つの弾性ショックアブソーバー４８は、回転ガイド用の第１のメンバー４６と一部品内にて作られる。
【００４２】
組み合わせの実施形態において、前記少なくとも１つの弾性ショックアブソーバー４８は、前側ガイド用の第２のメンバー４９及び回転ガイド用の第１のメンバー４６と一部品内にて作られる。
【００４３】
特定の実施形態において、ピボット４５は第１のレベル及び互いに重なり合った第２のレベルを有する。第１のレベル上で、回転ガイド用の第１のメンバー４６は少なくとも第１のショックアブソーバー４８Ａを介して構造要素４５１から懸架されている。レベル２上で、回転ガイド用の第１のメンバー４９は第２のショックアブソーバー４８Ｂを少なくとも介して構造要素４５１から懸架されている。
【００４４】
特定の実施形態において、この第１のレベル上で、回転ガイド用の第１のメンバー４６は、第１の接続要素４８Ｃによって上側ジュエルセッティング２６から懸架され、この上側ジュエルセッティング２６は、第１のショックアブソーバー４８Ａを介して構造要素４５１から懸架されている。
【００４５】
特定の実施形態において、第１の接続要素４８Ｃは、可撓性要素である。
【００４６】
特定の実施形態において、回転ガイド用の第１のメンバー４６、上側ジュエルセッティング２６、第１の接続要素４８Ｃ及び第１のショックアブソーバー４８Ａはともになって、一体の部品を形成する。
【００４７】
特定の実施形態において、この第２のレベルにおいて、前側ガイド用の第２のメンバー４９は、第２の接続要素４８Ｄによって下側ジュエルセッティング２７から懸架され、この下側ジュエルセッティング２７は、第２のショックアブソーバー４８Ｂを介して構造要素４５１から懸架されている。
【００４８】
特定の実施形態において、第２の接続要素４８Ｄは、可撓性要素である。
【００４９】
特定の実施形態において、前側ガイド用の第２のメンバー４９、下側ジュエルセッティング２７、第２の接続要素４８Ｄ及び第２のショックアブソーバー４８Ｂはともになって、一体の部品を形成する。
【００５０】
特定の実施形態において、上側ジュエルセッティング２６と下側ジュエルセッティング２７はともになって、単一の剛性を有する部品を形成する。
【００５１】
特定の実施形態において、第１のショックアブソーバー４８Ａ及び第２のショックアブソーバー４８Ｂはともになって、単一の部品を形成する。
【００５２】
特定の好ましい一実施形態において、回転ガイド用の第１のメンバー４６、上側ジュエルセッティング２６、第１の接続要素４８Ｃ、第１のショックアブソーバー４８Ａ、前側ガイド用の第２のメンバー４９、下側ジュエルセッティング２７、第２の接続要素４８Ｄ、及び第２のショックアブソーバー４８Ｂはともになって、一体の部品を形成する。
【００５３】
特定の実施形態において、ピボット４５は、独立したピボットアセンブリー４５０を形成し、構造要素４５１は、プレート２と連係するように構成する少なくとも１つの支持表面４５３を有するカボション４５２である。
【００５４】
好ましくは、摩擦学的な理由で、潤滑を取り除いたり減らしたりするためには、少なくとも回転ガイド用の第１のメンバー４６又は前側ガイド用の第２のメンバー４９が、硬質被覆、ＤＬＣなどの被覆で被覆されているアーバー４７用のガイド面を有する。
【００５５】
本発明の第２の実施形態において、計時器用機構のためのピボット４５は、プレート２においてアーバー４７を半径方向にて保持する回転ガイド用の第１のメンバー４６と、及びアーバー４７の端を軸方向にて制限する前側ガイド用の第２のメンバー４９とを有し、これは、少なくとも回転ガイド用の第１のメンバー４６及び／又は前側ガイド用の第２のメンバー４９に作用する少なくとも１つの弾性ショックアブソーバー４８を有する。ピボット４５に関して、少なくとも回転ガイド用の第１のメンバー４６又は前側ガイド用の第２のメンバー４９は、回転ガイド用の第１のメンバー４６及び前側ガイド用の第２のメンバー４９ではない少なくとも１つの構造要素４５１と一体の形態で、マイクロ機械加工可能な材料又はケイ素又は石英又はダイヤモンド又はルビー又はコランダムで作られる。具体的には、回転ガイド用の第１のメンバー４６又は前側ガイド用の第２のメンバー４９は、プレート２とともに一部品内にて作られる。当然、第１の実施形態にて説明した変種はすべて、第２の実施形態と組み合わせることができる。第２の実施形態において、弾性ショックアブソーバーは、ねじ込んだり溶接したりすることができる。構造要素（特に、プレート２）と一部品内にて作られていなければ、アーバーのガイドのうちの１つも同様である。
【００５６】
このような付加的要素の一体化は、ピボット部品を支える構造要素が摩擦の観点で満足できないような場合には、両方の実施形態において必要となりうる。このことで、一体製造を避けることができるというわけではない。一体製造によって、ピボットの幾何学的構成とショック吸収特性を確実にすることができる。
【００５７】
本発明は、さらに、この種のピボット４５を少なくとも１つ有する計時器用プレート２に関する。
【００５８】
特定の実施形態において、プレート２は、少なくとも１つのピボット４５を有し、このピボット４５用の構造要素４５１を形成する。
【００５９】
特定の実施形態において、少なくとも回転ガイド用の第１のメンバー４６又は前側ガイド用の第２のメンバー４９は、マイクロ機械加工可能な材料又はケイ素又は石英又はダイヤモンド又はルビー又はコランダムで、プレート２と一体の形態で作られる。
【００６０】
特定の実施形態において、回転ガイド用の第１のメンバー４６及び前側ガイド用の第２のメンバー４９は両方とも、プレート２と一部品内にて作られる。
【００６１】
好ましい例を上で説明した。これにおいて、回転ガイド用の第１のメンバー４６及び前側ガイド用の第２のメンバー４９の両方は、少なくとも１つの弾性ショックアブソーバー４８によって支持されており、主な変種においては、
−回転ガイド用の第１のメンバー４６と前側ガイド用の第２のメンバー４９のいずれかは、少なくとも１つの弾性ショックアブソーバー４８によってともに運ばれ、
−又は、回転ガイド用の第１のメンバー４６及び前側ガイド用の第２のメンバー４９は、ショックアブソーバーによって別々に支持される。このショックアブソーバーは、２つの支持表面を備えた一般的なショックアブソーバー、又は各ガイドメンバーがそれ自身のショックアブソーバーによって支持されているような複数のショックアブソーバーであることができる。
【００６２】
より一般的には、本発明は、さらに、回転ガイド用の第１のメンバー４６又は前側ガイド用の第２のメンバー４９のみがそれに特有の少なくとも１つの弾性ショックアブソーバー４８によって支持されるような場合に関する。
【００６３】
本発明は、さらに、この種の少なくとも１つのプレート２を有する機械的な計時器用ムーブメント１００に関する。
【００６４】
本発明は、さらに、複数の従来のピボット部品が一体にて集積されているいずれの組み合わせにも関する。
【００６５】
本発明は、さらに、プレート上に又はプレート内にて位置するように意図されたピボットアセンブリー４５０に関し、このピボットアセンブリー４５０は、少なくとも、アーバー４７をプレート２に半径方向にて保持する回転ガイド用の第１のメンバー４６と、及び同じアーバー４７の端を軸方向にて制限する前側ガイド用の第２のメンバー４９と、及び少なくとも１つの弾性ショックアブソーバー４８とを有する。本発明によると、弾性ショックアブソーバー４８は、これらの肩部の少なくとも１つと一体の形態で作られる。
【００６６】
好ましくは、弾性ショックアブソーバー４８は、回転ガイド用の第１のメンバー４６及び前側ガイド用の第２のメンバー４９の両方と一体の形態で作られる。
【００６７】
ピボットアセンブリー４５０とプレート２の間の界面は、カボション４５１によって、又はプレート２においてハウジングと連係するように構成するセンタリング面４８２を有する弾性ショックアブソーバー８１によって形成される。
【００６８】
カボション４５１は、回転ガイド用の第１のメンバー４６及び前側ガイド用の第２のメンバー４９、及び少なくとも１つの弾性ショックアブソーバー４８を閉じ込める。好ましくは、カボションは、前記少なくとも１つの弾性ショックアブソーバー４８と一体である。
【００６９】
本発明は、さらに、この種のプレート２を少なくとも１つ有する機械的な計時器用ムーブメント１００に関する。
【００７０】
本発明の別の特定の実施形態において、下側プレート２及び／又は上側ブリッジ３及び／又はフレーム１７は、カセット１、特に、エスケープ機構に、組み入れられた機構の部品のピボットを受ける少なくとも１つのショックアブソーバーベアリングと不可分の一体の部品２０を形成する。
【００７１】
図１の特定の実施形態において、カセット１は、アーバー４７のような機能的部品１０を少なくとも１つ有する。これは、プレート２と一体的な下側ピボット４５と、ブリッジ（図示せず）と一体的な上側ピボットとの間で回転運動可能であり、少なくとも１つの下側ピボット４５又は上側ピボット４４は、プレート２又はブリッジと一体の形態で作られ、回転運動可能な機能的部品１０のアーバー４７を半径方向にて保持する回転用肩部４６と、及びアーバー４７の端を軸方向にて制限する前側肩部４９とを有する。好ましくは、回転用肩部４６及び前側肩部４９は両方とも、弾性ショックアブソーバー４８によって支持される。弾性ショックアブソーバー４８も、肩部と一体である。
【００７２】
このように、ショックアブソーバーを、部分的に又は全面的にプレート内で作ることができる。このショックアブソーバーのばねを、プレートと一緒に作ることができる。２つのジュエルのうちの１つ（又は両方）を、プレートと一緒に作ることができる。そして、ケイ素内において回転が直接的に発生する。ピボット点は、ＤＬＣ又は他の表面被覆が施されたケイ素内において真っ直ぐなものを作ることができる。このようにして、もはやジュエルはなくなり、また、回転点は非常に正確に位置合わせされる。
【００７３】
ショックアブソーバーは、実質的に二次元のケイ素又は同様の部分で、この二次元の平面がアーバーに垂直であり、又はこの二次元の平面がアーバーと平行であるように、作ることができる。
【００７４】
好ましい一実施形態において、ピボット４５又はピボットアセンブリー４５０、一及び／又は他のものを含むプレート２のような取り外し不能な一体の部品が、ケイ素で作られ、取り外し不能な一体の部品の集積された弾性戻し手段は、酸化ケイ素状態であらかじめ応力をかけられる。
【００７５】
プレート２、ブリッジ及び／又は分離不能な一体の部品の特定の構造によって、これらの構造要素又は機構の部品の膨張の影響を補償することができる。プレートを、例えば、ケイ素で作り、次に、固さのために酸化する。
【図１】
2016505150.tif 000003
【図２】
2016505150.tif 000004
【図３】
2016505150.tif 000005
【図４】
2016505150.tif 000006
【図５】
2016505150.tif 000007
【図６】
2016505150.tif 000008
【図７】
2016505150.tif 000009
【図８】
2016505150.tif 000010
【図９】
2016505150.tif 000011
【図１０】
2016505150.tif 000012
【手続補正書】
【提出日】平成27年8月3日(2015.8.3)
【手続補正１】
【補正対象書類名】明細書
【補正対象項目名】全文
【補正方法】変更
【補正の内容】
【発明の詳細な説明】
【技術分野】
【０００１】
本発明は、計時器用機構用の少なくとも１つのピボットを有する計時器用メインプレートに関し、前記ピボットは、当該プレート内においてアーバーを半径方向にて保持する回転ガイド用の第１のメンバーと、前記アーバーの端を軸方向にて制限する前側ガイド用の第２のメンバーと、及び前記回転ガイド用の第１のメンバー及び／又は前記前側ガイド用の第２のメンバーに少なくとも作用する少なくとも１つの弾性ショックアブソーバーとを有し、前記少なくとも１つの弾性ショックアブソーバーは、前記回転ガイド用の第１のメンバー及び前記前側ガイド用の第２のメンバーではない少なくとも１つの構造要素と一体の形態で、マイクロ部品製造のためのＭＥＭＳ、ＬＩＧＡ又はリソグラフィー製造技術によって、マイクロ機械加工可能な材料又はケイ素又は石英又はダイヤモンド又はルビー又はコランダムで作られ、前記ピボットは、重なり合った第１のレベル及び第２のレベルを有し、前記回転ガイド用の第１のメンバーは、前記第１のレベルにおいて、第１のショックアブソーバーを少なくとも介して前記構造要素に懸架されており、前記前側ガイド用の第２のメンバーは、前記第２のレベルにおいて、第２のショックアブソーバーを少なくとも介して前記構造要素に懸架されており、当該プレートは、当該プレートに含まれる前記ピボットの少なくとも１つに対応する構造要素を形成する。
【０００２】
本発明は、さらに、計時器用機構用のプレートであって、当該プレート内においてアーバーを半径方向にて保持する回転ガイド用の第１のメンバーと、前記アーバーの端を軸方向にて制限する前側ガイド用の第２のメンバーと、及び前記回転ガイド用の第１のメンバー及び／又は前記前側ガイド用の第２のメンバーに少なくとも作用する少なくとも１つの弾性ショックアブソーバーとを有するものに関する。
【０００３】
本発明は、さらに、この種のプレートを少なくとも１つ有する機械的な計時器用ムーブメントに関する。
【０００４】
本発明は、計時器用機構の分野に関し、より詳細には、計時器用車セットのピボットに関する。
【背景技術】
【０００５】
計時器用車セットのピボット回転は、ムーブメントの品質に重大な影響を与える。高精度の幾何学的構成の実装についての部品の数やコスト、加工費の点から、ピボットを作ることは高コストであり、また、ジュエルや緩衝デバイスのアセンブリーには特別な注意を必要とする。
【０００６】
伝統的に、アーバーの端を回転可能にガイドするピボットは、プレートにあるボア又はカウンターボアに収容されるカボションを有し、このカボションは、ジュエルセッティングにともに収容された、アーバーのための放射状のガイドジュエルと、アーバーの軸方向の端用の支持受け石と、及びジュエル又はジュエルセッティングのための懸架リングのような少なくとも１つの緩衝デバイスとを有している。潤滑が必要であれば、油つぼの存在を必要とする。その油つぼの形は、どの位置にあっても潤滑を確実にするものでなければならない。
【０００７】
ＰＡＴＥＫ  ＰＨＩＬＩＰＰＥ名義のスイス特許ＣＨ７００４９６Ｂ１は、ジュエル穴に軸方向に作用する弾性手段を備えたショックアブソーバーベアリングを開示している。このショックアブソーバーベアリングは、ピボットを受ける穴と、及び弾性手段によって形成され、弾性戻し手段に対抗するように軸方向のみに移動することがジュエル穴に強いるガイド手段とを有する。
【０００８】
ＵＬＹＳＳＥ  ＮＡＲＤＩＮ名義の欧州特許出願ＥＰ２０１５１４７Ａ２は、ショックアブソーバーベアリングを開示している。これは、少なくとも１つの弾性アームと、及びピボットを受ける穴を有する中央部分とを有し、これらは、単結晶材料のディスク内において一体にて形成されている。ＵＬＹＳＳＥ  ＮＡＲＤＩＮ名義の国際特許ＷＯ２００９／０６００７４は、ベアリングを開示している。これにおいて、固定メンバーに回転メンバーを接続する弾性メンバーと、及びピボット回転メンバーの２つのジュエルのうちの１つとは、一体の形態で形成されている。
【０００９】
ＳＷＡＴＣＨ  ＧＲＯＵＰ  Ｒ＆Ｄ名義の国際特許出願ＷＯ２０１１／１６１１３９Ａ１は、ピボットが延伸しているピボットシャンクを有する車セットアーバー用のショックアブソーバーベアリングを開示している。これは、懸架されるピボットシステムを受けるように構成するハウジングが設けられた支持体を有しており、このピボットシステム内にピボットシャンクが挿入されている。このピボットシステムは、車セットが受けるあらゆるショックを吸収し、少なくとも１つの部分的に非晶質の金属合金で作られた一部品に形成されている。ＳＷＡＴＣＨ  ＧＲＯＵＰ  Ｒ＆Ｄ名義の欧州特許出願ＥＰ２４００３５５Ａ１は、さらに、同じ機能を満たすベアリングを開示しており、このベアリングは、弾性手段を有し、これは、ピボットシステムに対して少なくとも軸方向の力を及ぼすように構成し、少なくとも部分的に非晶質の材料で作られている。
【００１０】
ＳＷＡＴＣＨ  ＧＲＯＵＰ  Ｒ＆Ｄ名義の欧州特許出願ＥＰ２６０７９７１Ａ１は、凹部を有するベアリングを基板内にて作る方法を開示しており、これにおいて、基板の１つの領域の構造が変更されて、選択性を増している。これにおいて、この領域が化学的にエッチングされてベアリングが作られ、基板はレーザ波長透過性材料で作られている。少なくとも１つの凹部を用いて弾性構造体を形成し、この弾性構造体は中央部を有し、この中央部にアーバーのピボットシャンクを挿入することができ、この中央部から少なくとも１つの弾性アームが延在している。
【発明の概要】
【発明が解決しようとする課題】
【００１１】
上記を鑑みて、本発明は、部品の数が少ないピボットを提供することを提案するものであり、これは、非常に信頼性が高く、好ましくは潤滑なしで動作し、吸収特性が良好で、ショックがあっても精密に再び位置合わせする。
【課題を解決するための手段】
【００１２】
この目的のために、本発明は、マイクロ部品を作るための新技術であるＭＥＭＳ、「ＬＩＧＡ」、リソグラフィーなどを使用し、この種のピボットの製造を最適化する。
【００１３】
このために、第１の好ましい実施形態において、本発明は、計時器用機構用の少なくとも１つのピボットを有する計時器用メインプレートに関し、前記ピボットは、当該プレート内においてアーバーを半径方向にて保持する回転ガイド用の第１のメンバーと、前記アーバーの端を軸方向にて制限する前側ガイド用の第２のメンバーと、及び前記回転ガイド用の第１のメンバー及び／又は前記前側ガイド用の第２のメンバーに少なくとも作用する少なくとも１つの弾性ショックアブソーバーとを有し、前記少なくとも１つの弾性ショックアブソーバーは、前記回転ガイド用の第１のメンバー及び前記前側ガイド用の第２のメンバーではない少なくとも１つの構造要素と一体の形態で、マイクロ部品製造のためのＭＥＭＳ、ＬＩＧＡ又はリソグラフィー製造技術によって、マイクロ機械加工可能な材料又はケイ素又は石英又はダイヤモンド又はルビー又はコランダムで作られ、前記ピボットは、重なり合った第１のレベル及び第２のレベルを有し、前記回転ガイド用の第１のメンバーは、前記第１のレベルにおいて、第１のショックアブソーバーを少なくとも介して前記構造要素に懸架されており、前記前側ガイド用の第２のメンバーは、前記第２のレベルにおいて、第２のショックアブソーバーを少なくとも介して前記構造要素に懸架されており、当該プレートは、当該プレートに含まれる前記ピボットの少なくとも１つに対応する構造要素を形成し、前記回転ガイド用の第１のメンバー及び前記前側ガイド用の第２のメンバーは両方とも、マイクロ部品のためのＭＥＭＳ、ＬＩＧＡ又はリソグラフィーの製造技術によって当該プレートと一体の形態で、マイクロ機械加工可能な材料又はケイ素又は石英又はダイヤモンド又はルビー又はコランダムで作られる。
【００１４】
第２の実施形態において、本発明は、計時器用機構用のピボットに関し、プレート内においてアーバーを半径方向にて保持する回転ガイド用の第１のメンバーと、前記アーバーの端を軸方向にて制限する前側ガイド用の第２のメンバーと、及び前記回転ガイド用の第１のメンバー及び／又は前記前側ガイド用の第２のメンバーに少なくとも作用する少なくとも１つの弾性ショックアブソーバーとを有し、前記回転ガイド用の第１のメンバー又は前記前側ガイド用の第２のメンバーの少なくともいずれかは、前記回転ガイド用の第１のメンバー及び前記前側ガイド用の第２のメンバーではない少なくとも１つの構造要素と一体の形態で、マイクロ機械加工可能な材料又はケイ素又は石英又はダイヤモンド又はルビー又はコランダムで作られている。
【００１５】
本発明は、さらに、複数の従来のピボット部品が一体に集積されているいずれの組み合わせにも関する。
【００１６】
本発明は、さらに、この種のプレートを少なくとも１つ有する機械的な計時器用ムーブメントに関する。
【００１７】
モノリシック部品を、特にプレートを用いて作ることによって、部分の数を減らし、アセンブリー上の課題を回避することができるという利点を有する。本発明は、これらのモノリシック部品の製造精度の高さの恩恵を受けている（通常、これらの部分は、例えば、ケイ素で作られ、したがって、マイクロメーター的な精度の恩恵を受ける）。
【００１８】
複数のピボットが集積されたモノリシックプレートは、中心間の距離を確実にし、機構のためにすぐに使用することができる精密な基礎が形成されるという主な利点を有する。この機構は、特に、好ましい用途では発振器である。
【００１９】
本発明は、具体的には、可撓性ガイドメンバーを組み入れているものであり、以下の利点を有する。
−確実な精度
−摩擦レベルが大きく減少したりゼロになったりする
−潤滑なし
−遊びなし
−摩耗なし
【００２０】
これらの可撓性ガイドメンバーの製造によって、制限を受ける。特に、移動距離が制限され、復帰力が低く、負荷が制限される。しかし、これらの制限は、多くの時計的な機能を禁止するわけではない。特に、規制に関係する機能、そして、制限された移動距離のジュエル用のガイドメンバーに関係する機能についてである。
【００２１】
これらの制限は、中心間距離の高い精度によって十分に補われ、部品の数が減り、したがって、複雑さが減り、アセンブリー時間が減る。このように、本発明に係る少なくとも１つのピボットを有するプレートは、大きな産業上の利点を有する。
【００２２】
添付図面を参照しながら下記の詳細な説明を読むことで、本発明の他の特徴及び利点を理解することができるであろう。
【図面の簡単な説明】
【００２３】
【図１】ピボットのアーバーを通る断面図を示しており、ショックアブソーバーベアリングがプレートと一部品となっている。
【図２】図１と同様な形態で、アーバーを半径方向にて保持する回転ガイド用の第１のメンバーと、及びアーバーの端を制限する前側ガイド用の第２のメンバーとを備えたピボットを示す。この回転ガイド用の第１のメンバーは、上側の第１のレベルにおいて、上側の第１のショックアブソーバーによってプレートに懸架されており、この前側ガイド用の第２のメンバーは、下側の第２のレベルにおいて、下側の第２のショックアブソーバーによってプレートに懸架されている。
【図３】図２と同様な形態で、アーバーを半径方向にて保持する回転ガイド用の第１のメンバーと、及びアーバーの端を制限する前側ガイド用の第２のメンバーとを備えたピボットを示す。この回転ガイド用の第１のメンバーは、第１の接続要素によって上側ジュエルセッティングに懸架され、この上側ジュエルセッティングは、上側の第１のレベルにおいて、上側の第１のショックアブソーバーによってプレートに懸架されている。この前側ガイド用の第２のメンバーは、第２の接続要素によって下側ジュエルセッティングに懸架され、この下側ジュエルセッティングは、下側の第２のレベルにおいて、下側の第２のショックアブソーバーによってプレートに懸架されている。
【図４】図２と同様な方法で、アーバーを半径方向にて保持する回転ガイド用の第１のメンバーと、及びアーバーの１つの端の止めを制限する前側ガイド用の第２のメンバーとを備えたピボットを示す。この回転ガイド用の第１のメンバーは、上側の第１のレベルにおいて、上側の第１のショックアブソーバーによってカボションに懸架され、この前側ガイド用の第２のメンバーは、下側の第２のレベルよりも低いレベルにおいて、下側の第２のショックアブソーバーによって同じカボションに懸架され、このカボションは、ピボットをプレートに収容するセンタリング面を有する。
【図５】図２と同様な形態で、アーバーを半径方向にて保持する回転ガイド用の第１のメンバーと、及びアーバーの端を制限する前側ガイド用の第２のメンバーとを備えたピボットを示す。この回転ガイド用の第１のメンバーは、上側の第１のレベルにおいて、上側の第１のショックアブソーバーによってプレートに懸架され、この前側ガイド用の第２のメンバーは、下側の第２のレベルにおいて、下側の第２のショックアブソーバーによってプレートに懸架されている。この下側の第２のショックアブソーバーは、上側の第１のショックアブソーバーと一体化されており、ピボットをプレートに収容するセンタリング面を有する。
【図６】図３と同様な形態で、上側の第１のレベルにおけるアーバーを半径方向にて保持する回転ガイド用の第１のメンバーと、及び下側の第２のレベルにおけるアーバーの端を制限する前側ガイド用の第２のメンバーとを備えたピボットを示す。この回転ガイド用の第１のメンバーは、第１の接続要素によって上側ジュエルセッティングに懸架され、この上側ジュエルセッティングは、上側の第１のショックアブソーバーによって構造要素に懸架されている。この前側ガイド用の第２のメンバーは、第２の接続要素によって下側ジュエルセッティングに懸架され、この下側ジュエルセッティングは、下側の第２のショックアブソーバーによって構造要素に懸架されている。
【図７】図１と同様な形態で、回転ガイド用の第１のメンバーを備えたピボットを示す。これは、前側ガイド用の第２のメンバーと単一の部品を形成する。
【図８】ショックアブソーバーによってカボションに懸架されている図７の単一の部品を示す。これらは一体のアセンブリーを形成している。
【図９】ショックアブソーバーによってプレートに懸架されている図７の単一の部品を示す。これらは一体のアセンブリーを形成している。
【図１０】アーバーの方向の軸方向のショックを吸収するように構成する可撓性の第２の接続要素によって下側ジュエルセッティングに懸架されている前側ガイド用の第２のメンバーを示す。この下側ジュエルセッティングは、上側ジュエルセッティングに固定されており、これは、回転ガイド用の第１のメンバーを支えており、弾性ショックアブソーバーによってプレートに懸架されている。この弾性ショックアブソーバーは、好ましくは、半径方向の成分を有するショックを吸収するように意図されている。
【発明を実施するための形態】
【００２４】
本発明は、計時器用機構の分野に関し、より詳細には、計時器用車セットのピボット回転に関する。
【００２５】
本発明は、計時器用機構のためのピボット４５に関し、このピボット４５は、プレート２内においてアーバー４７を半径方向にて保持する回転ガイド用の第１のメンバー４６と、及びアーバー４７の端を軸方向にて制限する前側ガイド用の第２のメンバー４９とを有する。このピボット４５は、少なくとも１つの弾性ショックアブソーバー４８を有し、これは、回転ガイド用の第１のメンバー４６及び／又は前側ガイド用の第２のメンバー４９に少なくとも作用する。
【００２６】
本発明によると、第１の好ましい実施形態において、この少なくとも１つの弾性ショックアブソーバー４８は、回転ガイド用の第１のメンバー４６や前側ガイド用の第２のメンバー４９ではない少なくとも１つの構造要素４５１と一体の形態で、マイクロ機械加工可能な材料又はケイ素又は石英又はダイヤモンド又はルビー又はコランダムで作られる。
【００２７】
この構造要素４５１は、詳細には、プレート、ブリッジ、カボション又は他の要素からなることができる。
【００２８】
本発明によれば、ピボット４５は、互いに重なり合った第１のレベル及び第２のレベルを有する。第１のレベルでは、回転ガイド用の第１のメンバー４６が、第１のショックアブソーバー４８Ａを少なくとも介して構造要素４５１に懸架されている。第２のレベルでは、前側ガイド用の第２のメンバー４９が、第２のショックアブソーバー４８Ｂを少なくとも介して構造要素４５１に懸架されている。
【００２９】
本発明は、いくつかの基本的な機能的ピボット部品の一体アセンブリーから発生する変種をすべてカバーしている。
【００３０】
具体的には、「基本的な機能的部品」とは、
−伝統的なピボットの場合にしばしば穴の開いたジュエルによって形成される回転ガイド用の第１のメンバー４６
−アーバーの潤滑が必要であるようなよくある場合には、回転ガイド用の第１のメンバー及び前側ガイド用の第２のメンバー４９の概して凹面の裏側によって限界が定められた空間で形成される油つぼ
−一般的には実質的に平坦な表面を備えたジュエルである前側ガイド用の第２のメンバー４９
−各ジュエルを保持するジュエルセッティングであって、これは、回転ガイド用の第１のメンバー４６を保持する上側ジュエルセッティング２６、前側ガイド用の第２のメンバー４９を保持する下側ジュエルセッティング２７、又は回転ガイド用の第１のメンバー４６及び前側ガイド用の第２のメンバー４９を保持する単一のジュエルセッティングのいずれかである
−剛性又は可撓性を有する任意の接続要素であって、これは、一方では、回転ガイド用の第１のメンバーと上側ジュエルセッティング２６の間の第１の接続要素４８Ｃ、他方では、前側ガイド用の第２のメンバー４９と下側ジュエルセッティング２７の間の第２の接続要素４８Ｄである
−少なくとも１つの弾性ショックアブソーバー４８であって、これは、上側ショックアブソーバー４８Ａと下側の第２のショックアブソーバー４８Ｂに分けることができる
−任意のカボション４５２であって、これも、上側の第１のカボションと下側の第２のカボションに分けることができる
−回転が行われるプレート２
である。
【００３１】
本発明は、非常に多数の組み合わせを範囲に含むことは明らかであり、これは、ピボットの従来の部品のすべて又は一部が他の部品（特に、プレート）と一体の形態で形成されるかどうかに依存する。
【００３２】
具体的には、本発明のピボットは、１つ又は複数のレベルにて作ることができる。
【００３３】
図９は、単一のレベルの実施形態を示す。これには、単一の部品があり、これにおいて、プレート２は、単一のユニットを支える単一の弾性ショックアブソーバー４８を直接組み入れており、そのユニットの輪郭は、回転ガイド用の第１のメンバー４６と前側ガイド用の第２のメンバー４９の両方を形成するように構成している。
【００３４】
伝統的には回転ガイド用の第１のメンバー４６及び前側ガイド用の第２のメンバー４９は別個のジュエルによって形成されるが、２つの重なり合ったレベルがあるアーキテクチャも考えつくことができる。すなわち、本発明の複数の変種（これらに制限されない）を示す図２〜６に示すように、回転ガイド用の第１のメンバー４６を支持する上側の第１のレベルと、前側ガイド用の第２のメンバー４９を支持する下側の第２のレベルとである。アーキテクチャのレベルが２つあったとしても、その２つのレベルが別個であることを意味しない。このような２つのレベルの間のリンクは、例えば、回転ガイド用の第１のメンバー４６と前側ガイド用の第２のメンバー４９、又は上側ジュエルセッティング２６と下側ジュエルセッティング２７、又は第１の接続要素４８Ｃと第２の接続要素４８Ｄなどを連結することによって達成することができる。なぜなら、各レベルで同じ機能を満たさない機能的部品の間でもリンクが形成されることがあるからである。
【００３５】
もちろん、レベルの数をもっと大きくすることも考えることができる。しかし、ＭＥＭＳによる製造の場合では、重なり合った２つのレベルを有する実施形態においては、アーキテクチャを作ることができないことがあり、製造の複雑さが直接的に制限因子になる。しかし、ケイ素の面がアーバーと平行であるように部品を製造することができる。
【００３６】
可撓性の形態であるような少なくとも１つの弾性ショックアブソーバー４８及び前記少なくとも１つの接続要素の設計及び構成によって、半径方向及び軸方向の加速度を緩めるという点を用いて要素どうしを区別することが可能になる。
【００３７】
図１０は、アーバー４７の方向における軸方向のショックを吸収するように構成する可撓性の第２の接続要素４８Ｄによって、前側ガイド用の第２のメンバー４９が下側ジュエルセッティング２７に懸架されているような例を示している。下側ジュエルセッティング２７は、上側ジュエルセッティング２６に固定されており、この上側ジュエルセッティング２６は、回転ガイド用の第１のメンバー４６も支えており、弾性ショックアブソーバー４８によってプレート２に懸架されている。この弾性ショックアブソーバー４８は、好ましくは、半径方向の成分でショックを吸収するように意図されている。
【００３８】
当然、本発明は、ピボットアセンブリー４５０が従来のプレートのボア又はカウンターボア内に収容される場合をも範囲に含むものである。このピボットアセンブリー４５０は、好ましくは、一体である。このピボットアセンブリー４５０は、マイクロ機械加工可能な材料でともに一部品内にて作られた少なくとも２つの部品を有する。
【００３９】
単純化のために、本明細書は、特定のアーキテクチャにおいて（これに何ら制限されない）、プレートと一体となっているピボットについての例を少ない数のみ示している。
【００４０】
特定の実施形態において、前記少なくとも１つの弾性ショックアブソーバー４８は、前側ガイド用の第２のメンバー４９と一部品内にて作られる。
【００４１】
特定の実施形態において、前記少なくとも１つの弾性ショックアブソーバー４８は、回転ガイド用の第１のメンバー４６と一部品内にて作られる。
【００４２】
組み合わせの実施形態において、前記少なくとも１つの弾性ショックアブソーバー４８は、前側ガイド用の第２のメンバー４９及び回転ガイド用の第１のメンバー４６と一部品内にて作られる。
【００４３】
特定の実施形態において、ピボット４５は第１のレベル及び互いに重なり合った第２のレベルを有する。第１のレベル上で、回転ガイド用の第１のメンバー４６は少なくとも第１のショックアブソーバー４８Ａを介して構造要素４５１に懸架されている。レベル２上で、回転ガイド用の第１のメンバー４９は第２のショックアブソーバー４８Ｂを少なくとも介して構造要素４５１に懸架されている。
【００４４】
特定の実施形態において、この第１のレベル上で、回転ガイド用の第１のメンバー４６は、第１の接続要素４８Ｃによって上側ジュエルセッティング２６に懸架され、この上側ジュエルセッティング２６は、第１のショックアブソーバー４８Ａを介して構造要素４５１に懸架されている。
【００４５】
特定の実施形態において、第１の接続要素４８Ｃは、可撓性要素である。
【００４６】
特定の実施形態において、回転ガイド用の第１のメンバー４６、上側ジュエルセッティング２６、第１の接続要素４８Ｃ及び第１のショックアブソーバー４８Ａはともになって、一体の部品を形成する。
【００４７】
特定の実施形態において、この第２のレベルにおいて、前側ガイド用の第２のメンバー４９は、第２の接続要素４８Ｄによって下側ジュエルセッティング２７に懸架され、この下側ジュエルセッティング２７は、第２のショックアブソーバー４８Ｂを介して構造要素４５１に懸架されている。
【００４８】
特定の実施形態において、第２の接続要素４８Ｄは、可撓性要素である。
【００４９】
特定の実施形態において、前側ガイド用の第２のメンバー４９、下側ジュエルセッティング２７、第２の接続要素４８Ｄ及び第２のショックアブソーバー４８Ｂはともになって、一体の部品を形成する。
【００５０】
特定の実施形態において、上側ジュエルセッティング２６と下側ジュエルセッティング２７はともになって、単一の剛性を有する部品を形成する。
【００５１】
特定の実施形態において、第１のショックアブソーバー４８Ａ及び第２のショックアブソーバー４８Ｂはともになって、単一の部品を形成する。
【００５２】
特定の好ましい一実施形態において、回転ガイド用の第１のメンバー４６、上側ジュエルセッティング２６、第１の接続要素４８Ｃ、第１のショックアブソーバー４８Ａ、前側ガイド用の第２のメンバー４９、下側ジュエルセッティング２７、第２の接続要素４８Ｄ、及び第２のショックアブソーバー４８Ｂはともになって、一体の部品を形成する。
【００５３】
特定の実施形態において、ピボット４５は、独立したピボットアセンブリー４５０を形成し、構造要素４５１は、プレート２と連係するように構成する少なくとも１つの支持表面４５３を有するカボション４５２である。
【００５４】
好ましくは、摩擦学的な理由で、潤滑を取り除いたり減らしたりするためには、少なくとも回転ガイド用の第１のメンバー４６又は前側ガイド用の第２のメンバー４９が、硬質被覆、ＤＬＣなどの被覆で被覆されているアーバー４７用のガイド面を有する。
【００５５】
本発明の第２の実施形態において、計時器用機構のためのピボット４５は、プレート２においてアーバー４７を半径方向にて保持する回転ガイド用の第１のメンバー４６と、及びアーバー４７の端を軸方向にて制限する前側ガイド用の第２のメンバー４９とを有し、これは、少なくとも回転ガイド用の第１のメンバー４６及び／又は前側ガイド用の第２のメンバー４９に作用する少なくとも１つの弾性ショックアブソーバー４８を有する。ピボット４５に関して、少なくとも回転ガイド用の第１のメンバー４６又は前側ガイド用の第２のメンバー４９は、回転ガイド用の第１のメンバー４６及び前側ガイド用の第２のメンバー４９ではない少なくとも１つの構造要素４５１と一体の形態で、マイクロ機械加工可能な材料又はケイ素又は石英又はダイヤモンド又はルビー又はコランダムで作られる。具体的には、回転ガイド用の第１のメンバー４６又は前側ガイド用の第２のメンバー４９は、プレート２とともに一部品内にて作られる。当然、第１の実施形態にて説明した変種はすべて、第２の実施形態と組み合わせることができる。第２の実施形態において、弾性ショックアブソーバーは、ねじ込んだり溶接したりすることができる。構造要素（特に、プレート２）と一部品内にて作られていなければ、アーバーのガイドのうちの１つも同様である。
【００５６】
このような付加的要素の一体化は、ピボット部品を支える構造要素が摩擦の観点で満足できないような場合には、両方の実施形態において必要となりうる。このことで、一体製造を避けることができるというわけではない。一体製造によって、ピボットの幾何学的構成とショック吸収特性を確実にすることができる。
【００５７】
本発明は、さらに、この種のピボット４５を少なくとも１つ有する計時器用プレート２に関する。
【００５８】
特定の実施形態において、プレート２は、少なくとも１つのピボット４５を有し、このピボット４５用の構造要素４５１を形成する。
【００５９】
特定の実施形態において、少なくとも回転ガイド用の第１のメンバー４６又は前側ガイド用の第２のメンバー４９は、マイクロ機械加工可能な材料又はケイ素又は石英又はダイヤモンド又はルビー又はコランダムで、プレート２と一体の形態で作られる。
【００６０】
特定の実施形態において、回転ガイド用の第１のメンバー４６及び前側ガイド用の第２のメンバー４９は両方とも、プレート２と一部品内にて作られる。
【００６１】
好ましい例を上で説明した。これにおいて、回転ガイド用の第１のメンバー４６及び前側ガイド用の第２のメンバー４９の両方は、少なくとも１つの弾性ショックアブソーバー４８によって支持されており、主な変種においては、
−回転ガイド用の第１のメンバー４６と前側ガイド用の第２のメンバー４９のいずれかは、少なくとも１つの弾性ショックアブソーバー４８によってともに運ばれ、
−又は、回転ガイド用の第１のメンバー４６及び前側ガイド用の第２のメンバー４９は、ショックアブソーバーによって別々に支持される。このショックアブソーバーは、２つの支持表面を備えた一般的なショックアブソーバー、又は各ガイドメンバーがそれ自身のショックアブソーバーによって支持されているような複数のショックアブソーバーであることができる。
【００６２】
より一般的には、本発明は、さらに、回転ガイド用の第１のメンバー４６又は前側ガイド用の第２のメンバー４９のみがそれに特有の少なくとも１つの弾性ショックアブソーバー４８によって支持されるような場合に関する。
【００６３】
本発明は、さらに、この種の少なくとも１つのプレート２を有する機械的な計時器用ムーブメント１００に関する。
【００６４】
本発明は、さらに、複数の従来のピボット部品が一体にて集積されているいずれの組み合わせにも関する。
【００６５】
本発明は、さらに、プレート上に又はプレート内にて位置するように意図されたピボットアセンブリー４５０に関し、このピボットアセンブリー４５０は、少なくとも、アーバー４７をプレート２に半径方向にて保持する回転ガイド用の第１のメンバー４６と、及び同じアーバー４７の端を軸方向にて制限する前側ガイド用の第２のメンバー４９と、及び少なくとも１つの弾性ショックアブソーバー４８とを有する。本発明によると、弾性ショックアブソーバー４８は、これらの肩部の少なくとも１つと一体の形態で作られる。
【００６６】
好ましくは、弾性ショックアブソーバー４８は、回転ガイド用の第１のメンバー４６及び前側ガイド用の第２のメンバー４９の両方と一体の形態で作られる。
【００６７】
ピボットアセンブリー４５０とプレート２の間の界面は、カボション４５１によって、又はプレート２においてハウジングと連係するように構成するセンタリング面４８２を有する弾性ショックアブソーバー８１によって形成される。
【００６８】
カボション４５１は、回転ガイド用の第１のメンバー４６及び前側ガイド用の第２のメンバー４９、及び少なくとも１つの弾性ショックアブソーバー４８を閉じ込める。好ましくは、カボションは、前記少なくとも１つの弾性ショックアブソーバー４８と一体である。
【００６９】
本発明は、さらに、この種のプレート２を少なくとも１つ有する機械的な計時器用ムーブメント１００に関する。
【００７０】
本発明の別の特定の実施形態において、下側プレート２及び／又は上側ブリッジ３及び／又はフレーム１７は、カセット１、特に、エスケープ機構に、組み入れられた機構の部品のピボットを受ける少なくとも１つのショックアブソーバーベアリングと不可分の一体の部品２０を形成する。
【００７１】
図１の特定の実施形態において、カセット１は、アーバー４７のような機能的部品１０を少なくとも１つ有する。これは、プレート２と一体的な下側ピボット４５と、ブリッジ（図示せず）と一体的な上側ピボットとの間で回転運動可能であり、少なくとも１つの下側ピボット４５又は上側ピボット４４は、プレート２又はブリッジと一体の形態で作られ、回転運動可能な機能的部品１０のアーバー４７を半径方向にて保持する回転用肩部４６と、及びアーバー４７の端を軸方向にて制限する前側肩部４９とを有する。好ましくは、回転用肩部４６及び前側肩部４９は両方とも、弾性ショックアブソーバー４８によって支持される。弾性ショックアブソーバー４８も、肩部と一体である。
【００７２】
このように、ショックアブソーバーを、部分的に又は全面的にプレート内で作ることができる。このショックアブソーバーのばねを、プレートと一緒に作ることができる。２つのジュエルのうちの１つ（又は両方）を、プレートと一緒に作ることができる。そして、ケイ素内において回転が直接的に発生する。ピボット点は、ＤＬＣ又は他の表面被覆が施されたケイ素内において真っ直ぐなものを作ることができる。このようにして、もはやジュエルはなくなり、また、回転点は非常に正確に位置合わせされる。
【００７３】
ショックアブソーバーは、実質的に二次元のケイ素又は同様の部分で、この二次元の平面がアーバーに垂直であり、又はこの二次元の平面がアーバーと平行であるように、作ることができる。
【００７４】
好ましい一実施形態において、ピボット４５又はピボットアセンブリー４５０、一及び／又は他のものを含むプレート２のような取り外し不能な一体の部品が、ケイ素で作られ、取り外し不能な一体の部品の集積された弾性戻し手段は、酸化ケイ素状態であらかじめ応力をかけられる。
【００７５】
プレート２、ブリッジ及び／又は分離不能な一体の部品の特定の構造によって、これらの構造要素又は機構の部品の膨張の影響を補償することができる。プレートを、例えば、ケイ素で作り、次に、固さのために酸化する。
【手続補正２】
【補正対象書類名】特許請求の範囲
【補正対象項目名】全文
【補正方法】変更
【補正の内容】
【特許請求の範囲】
【請求項１】
計時器用機構用の少なくとも１つのピボット（４５）を有する計時器用プレート（２）であって、
前記ピボット（４５）は、当該プレート（２）内においてアーバー（４７）を半径方向にて保持する回転ガイド用の第１のメンバー（４６）と、
前記アーバー（４７）の端を軸方向にて制限する前側ガイド用の第２のメンバー（４９）と、及び
前記回転ガイド用の第１のメンバー（４６）及び／又は前記前側ガイド用の第２のメンバー（４９）に少なくとも作用する少なくとも１つの弾性ショックアブソーバー（４８）とを有し、
前記少なくとも１つの弾性ショックアブソーバー（４８）は、前記回転ガイド用の第１のメンバー（４６）及び前記前側ガイド用の第２のメンバー（４９）ではない少なくとも１つの構造要素（４５１）と一体の形態で、マイクロ部品製造のためのＭＥＭＳ、ＬＩＧＡ又はリソグラフィー製造技術によって、マイクロ機械加工可能な材料又はケイ素又は石英又はダイヤモンド又はルビー又はコランダムで作られ、
前記ピボット（４５）は、重なり合った第１のレベル及び第２のレベルを有し、
前記回転ガイド用の第１のメンバー（４６）は、前記第１のレベルにおいて、第１のショックアブソーバー（４８Ａ）を少なくとも介して前記構造要素（４５１）に懸架されており、
前記前側ガイド用の第２のメンバー（４９）は、前記第２のレベルにおいて、第２のショックアブソーバー（４８Ｂ）を少なくとも介して前記構造要素（４５１）に懸架されており、
当該プレート（２）は、当該プレート（２）に含まれる前記ピボット（４５）の少なくとも１つに対応する構造要素（４５１）を形成し、
前記回転ガイド用の第１のメンバー（４６）及び前記前側ガイド用の第２のメンバー（４９）は両方とも、マイクロ部品のためのＭＥＭＳ、ＬＩＧＡ又はリソグラフィーの製造技術によって当該プレート（２）と一体の形態で、マイクロ機械加工可能な材料又はケイ素又は石英又はダイヤモンド又はルビー又はコランダムで作られる
ことを特徴とするプレート（２）。
【請求項２】
前記第１のレベルにおいて、前記回転ガイド用の第１のメンバー（４６）は、第１の接続要素（４８Ｃ）によって上側ジュエルセッティング（２６）に懸架され、
前記上側ジュエルセッティング（２６）は、前記第１のショックアブソーバー（４８Ａ）によって前記構造要素（４５１）に懸架されている
ことを特徴とする請求項１に記載のプレート（２）。
【請求項３】
前記第１の接続要素（４８Ｃ）は、可撓性要素である
ことを特徴とする請求項２に記載のプレート（２）。
【請求項４】
前記回転ガイド用の第１のメンバー（４６）、前記上側ジュエルセッティング（２６）、前記第１の接続要素（４８Ｃ）、及び前記第１のショックアブソーバー（４８Ａ）は、一体の部品を形成する
ことを特徴とする請求項２に記載のプレート（２）。
【請求項５】
前記第２のレベルにおいて、前記前側ガイド用の第２のメンバー（４９）は、前記第２の接続要素（４８Ｄ）によって下側ジュエルセッティング（２７）に懸架され、
前記下側ジュエルセッティング（２７）は、前記第２のショックアブソーバー（４８Ｂ）によって前記構造要素（４５１）に懸架されている
ことを特徴とする請求項１に記載のプレート（２）。
【請求項６】
前記第２の接続要素（４８Ｄ）は、可撓性要素である
ことを特徴とする請求項５に記載のプレート（２）。
【請求項７】
前記前側ガイド用の第２のメンバー（４９）、前記下側ジュエルセッティング（２７）、前記第２の接続要素（４８Ｄ）、及び前記第２のショックアブソーバー（４８Ｂ）は、一体の部品を形成する
ことを特徴とする請求項５に記載のプレート（２）。
【請求項８】
前記第２のレベルにおいて、前記前側ガイド用の第２のメンバー（４９）は、第２の接続要素（４８Ｄ）によって下側ジュエルセッティング（２７）に懸架され、
前記下側ジュエルセッティング（２７）は、前記第２のショックアブソーバー（４８Ｂ）によって前記構造要素（４５１）に懸架されており、
前記上側ジュエルセッティング（２６）及び前記下側ジュエルセッティング（２７）は、単一の剛性部品を形成する
ことを特徴とする請求項２に記載のプレート（２）。
【請求項９】
前記第１のショックアブソーバー（４８Ａ）及び前記第２のショックアブソーバー（４８Ｂ）は、単一の部品を形成する
ことを特徴とする請求項１に記載のプレート（２）。
【請求項１０】
前記第２のレベルにおいて、前記前側ガイド用の第２のメンバー（４９）は、第２の接続要素（４８Ｄ）によって下側ジュエルセッティング（２７）に懸架され、
前記下側ジュエルセッティング（２７）は、前記第２のショックアブソーバー（４８Ｂ）によって前記構造要素（４５１）に懸架されており、
前記前側ガイド用の第２のメンバー（４９）は、前記アーバー（４７）の方向の軸方向のショックを吸収するように構成する前記可撓性の第２の接続要素（４８Ｄ）によって前記下側ジュエルセッティング（２７）に懸架されており、
前記下側ジュエルセッティング（２７）は、前記上側ジュエルセッティング（２６）に固定されており、
前記上側ジュエルセッティング（２６）は、前記回転ガイド用の第１のメンバー（４６）を支え、
半径方向の成分を有するショックを吸収するように意図されている弾性ショックアブソーバー（４８）によって前記プレート（２）に懸架されている
ことを特徴とする請求項２に記載のプレート（２）。
【請求項１１】
前記少なくとも１つの弾性ショックアブソーバー（４８）は、前記前側ガイド用の第２のメンバー（４９）と一体の形態で作られる
ことを特徴とする請求項１に記載のプレート（２）。
【請求項１２】
前記少なくとも１つの弾性ショックアブソーバー（４８）は、前記回転ガイド用の第１のメンバー（４６）と一体の形態で作られる
ことを特徴とする請求項１に記載のプレート（２）。
【請求項１３】
前記少なくとも１つの弾性ショックアブソーバー（４８）は、前記回転ガイド用の第１のメンバー（４６）と一体の形態で作られ、
前記少なくとも１つの弾性ショックアブソーバー（４８）は、前記前側ガイド用の第２のメンバー（４９）及び前記回転ガイド用の第１のメンバー（４６）と一体の形態で作られる
ことを特徴とする請求項１１に記載のプレート（２）。
【請求項１４】
前記回転ガイド用の第１のメンバー（４６）及び前記前側ガイド用の第２のメンバー（４９）は一緒に、単一の部品を形成する
ことを特徴とする請求項１に記載のプレート（２）。
【請求項１５】
前記第２のレベルにおいて、前記前側ガイド用の第２のメンバー（４９）は、第２の接続要素（４８Ｄ）によって前記下側ジュエルセッティング（２７）に懸架され、
前記下側ジュエルセッティング（２７）は、前記第２のショックアブソーバー（４８Ｂ）によって前記構造要素（４５１）に懸架されており、
前記前側ガイド用の第２のメンバー（４９）、前記下側ジュエルセッティング（２７）、前記第２の接続要素（４８Ｄ）、及び前記第２のショックアブソーバー（４８Ｂ）は、一体の部品を形成し、
前記第１のショックアブソーバー（４８Ａ）及び前記第２のショックアブソーバー（４８Ｂ）は、単一の部品を形成し、
前記回転ガイド用の第１のメンバー（４６）、前記上側ジュエルセッティング（２６）、前記第１の接続要素（４８Ｃ）、前記第１のショックアブソーバー（４８Ｃ）、前記前側ガイド用の第２のメンバー（４９）、前記下側ジュエルセッティング（２７）、前記第２の接続要素（４８Ｄ）、及び前記第２のショックアブソーバー（４８Ｂ）は、一体の部品を形成する
ことを特徴とする請求項４に記載のプレート（２）。
【請求項１６】
前記ピボットは、独立したピボットアセンブリー（４５０）を形成し、
前記構造要素（４５１）は、当該プレート（２）の１つと連係するように構成する少なくとも１つの支持表面（４５３）を有するカボション（４５２）である
ことを特徴とする請求項１に記載のプレート（２）。
【請求項１７】
前記回転ガイド用の第１のメンバー（４６）又は前記前側ガイド用の第２のメンバー（４９）の少なくとも一方は、ＤＬＣ被覆で被覆された前記アーバー（４７）のためのガイド面を有する
ことを特徴とする請求項１に記載のプレート（２）。
【請求項１８】
計時器用機構用のプレート（２）であって、
当該プレート（２）内においてアーバー（４７）を半径方向にて保持する回転ガイド用の第１のメンバー（４６）と、
前記アーバー（４７）の端を軸方向にて制限する前側ガイド用の第２のメンバー（４９）と、及び
前記回転ガイド用の第１のメンバー（４６）及び／又は前記前側ガイド用の第２のメンバー（４９）に少なくとも作用する少なくとも１つの弾性ショックアブソーバー（４８）とを有し、
前記回転ガイド用の第１のメンバー（４６）又は前記前側ガイド用の第２のメンバー（４９）の少なくともいずれかは、前記回転ガイド用の第１のメンバー（４６）及び前記前側ガイド用の第２のメンバー（４９）ではない少なくとも１つの構造要素（４５１）と一体の形態で、マイクロ機械加工可能な材料又はケイ素又は石英又はダイヤモンド又はルビー又はコランダムで作られている
ことを特徴とするプレート（２）。
【請求項１９】
請求項１に記載のプレート（２）を少なくとも１つ有する
ことを特徴とする機械的な計時器用ムーブメント（１００）。
【国際調査報告】
2016505150.tif 000013
2016505150.tif 000014
2016505150.tif 000015
2016505150.tif 000016
2016505150.tif 000017
2016505150.tif 000018